【手続補正書】
【提出日】令和1年10月17日(2019.10.17)
【手続補正１】
【補正対象書類名】明細書
【補正対象項目名】００２４
【補正方法】変更
【補正の内容】
【００２４】
各信号線ＤＴＬは、後述の水平セレクタ３１の出力端と、書込トランジスタＴｒ２のソースまたはドレインとに接続されている。各走査線ＷＳＬは、後述のライトスキャナ３２の出力端と、書込トランジスタＴｒ２のゲートとに接続されている。各電源線ＤＳＬは、電源回路４０の出力端と、駆動トランジスタＴｒ１のソースまたはドレインに接続されている。各カソード線ＣＴＬは、電源回路４０の出力端と、有機電界発光素子１１Ｂのカソードに接続されている。
【手続補正２】
【補正対象書類名】明細書
【補正対象項目名】００３２
【補正方法】変更
【補正の内容】
【００３２】
ダウンコンバータ２２は、例えば、画像信号Ｄｏｕｔに対してダウンコンバート処理と、空間の高周波変動を除去するＬＰＦ処理を行い、それにより映像信号Ｄａを生成する。画像信号Ｄｏｕｔが、例えば、図４（Ａ）の左端に記載の画像データのように、高階調の画素が多数、分散した画像データとなっている場合、ダウンコンバータ２２は、例えば、画像信号Ｄｏｕｔに対してダウンコンバート処理と、空間の高周波変動を除去するＬＰＦ処理を行うことにより、高階調だった領域の信号レベルが低下した画像信号Ｄａ（例えば、図４（Ａ）の中央の画像データ）を生成する。画像信号Ｄｏｕｔが、例えば、図４（Ｂ）の左端に記載の画像データのように、高階調の画素が多数、密集した画像データとなっている場合、ダウンコンバータ２２は、例えば、画像信号Ｄｏｕｔに対してダウンコンバート処理と、空間の高周波変動を除去するＬＰＦ処理を行うことにより、高階調だった領域の信号レベルの低下量の少ない画像信号Ｄａ（例えば、図４（Ｂ）の中央の画像データ）を生成する。ダウンコンバータ２２は、例えば、生成した画像信号Ｄａをヒストグラム計測部２３に出力する。
【手続補正３】
【補正対象書類名】明細書
【補正対象項目名】００３４
【補正方法】変更
【補正の内容】
【００３４】
最大値検出部２４は、ヒストグラム計測部２３で算出したヒストグラムＨｄと、閾値ｎｔｈとを対比することにより、最大値Ｃｍａｘを検出する。つまり、閾値ｎｔｈは、画像信号Ｄａの信号レベルの最大値を検出するためのものであり、例えば、後述の閾値算出部３３によって値が設定される変数である。最大値検出部２４は、例えば、閾値ｎｔｈの初期値を有しており、この初期値に対して、閾値算出部３３から入力されたゲインを乗算することにより、閾値ｎｔｈの値を変更する。最大値検出部２４は、例えば、閾値ｎｔｈを超える複数のヒストグラムＨｄのうち、階調の最も大きな領域（例えば、図５のグレーの棒グラフ）に含まれる最大の階調を、最大階調Ｃｍａｘとして抽出する。最大値検出部２４は、抽出した最大階調Ｃｍａｘに対応する電源電圧Ｖｃｃを導出する。電圧算出部２５は、例えば、図６に示したような概念を有するテーブルもしくは関数をメモリに記憶しており、そのメモリから読み出したテーブルもしくは関数と、抽出した最大階調Ｃｍａｘとを用いて、抽出した最大階調Ｃｍａｘに対応する電源電圧Ｖｃｃを導出する。図６には、最大階調Ｃｍａｘと、電源電圧Ｖｃｃとの関係の一例が示されている。電圧算出部２５は、導出した電源電圧Ｖｃｃの値となるように電源回路４０を制御する制御信号を生成し、ＩＩＲフィルタ２５に出力する。
【手続補正４】
【補正対象書類名】明細書
【補正対象項目名】００３５
【補正方法】変更
【補正の内容】
【００３５】
ＩＩＲフィルタ２６は、検出した最大階調Ｃｍａｘに対して急激な時間変動を抑える処理を行う。ＩＩＲフィルタ２６は、具体的には、検出した最大階調Ｃｍａｘに対して急激な時間変動を抑えるフィルタ処理を行う。ＩＩＲフィルタ２６は、例えば、電圧算出部２５で導出された制御信号に対して、制御信号の時間的に急激な変化を緩和するフィルタである。ＩＩＲフィルタ２６は、制御信号に対応する電源電圧Ｖｃｃの値が急激に大きくなった場合、例えば、図７に示したように、電源電圧Ｖｃｃの急激な増大を緩やかにする。また、ＩＩＲフィルタ２６は、制御信号に対応する電源電圧Ｖｃｃの値が急激に小さくなった場合、例えば、図８に示したように、電源電圧Ｖｃｃの急激な減少を緩やかにする。
【手続補正５】
【補正対象書類名】明細書
【補正対象項目名】００３８
【補正方法】変更
【補正の内容】
【００３８】
ヒストグラム計測部２３は、視線位置Ｅ１に対してＬＰＦ処理を行うことにより得られた信号（所定の処理後の視線位置Ｅ１）に基づいて、画像信号Ｄａの信号レベルのヒストグラムの分布を補正する。ヒストグラム計測部２３は、例えば、所定の処理後の視線位置Ｅ１、または、視聴距離Ｅ２に基づいて、画像信号Ｄａの信号レベルのヒストグラムの分布を補正する。ヒストグラム計測部２３は、さらに、補正後の画像信号Ｄａの信号レベルを画素１１ごとに算出し、画素１１ごとに算出した複数の信号レベルのヒストグラムを算出する。このように、ヒストグラム計測部２３は、所定の処理後の視線位置Ｅ１、または、視聴距離Ｅ２を用いた補正処理により、フレーム画像のうち、ユーザの気にならない箇所における信号レベルを下げることができる。例えば、上記補正処理を行っていない図４（Ｂ）の右端に示したヒストグラムと、上記補正処理を行った図９の右端に示したヒストグラムとを対比すると、上記補正処理を行った図９の右端に示したヒストグラムの高信号レベルにおいて、ヒストグラムＨｄが小さくなり、閾値ｎｔｈを下回っていることがわかる。このように、上記補正処理を行うことにより、最大階調Ｃｍａｘの値を低い値に変位させることが可能となることがわかる。
【手続補正６】
【補正対象書類名】明細書
【補正対象項目名】００３９
【補正方法】変更
【補正の内容】
【００３９】
閾値算出部３３は、画像信号Ｄｏｕｔの平均輝度レベルＬ１、画像信号Ｄｏｕｔの平均電流レベルＬ２、またはフレーム画像の動き量Ｍに基づいて、閾値ｎｔｈを設定する。閾値算出部３３は、例えば、図１０（Ａ）に示したようなＡＣＬ（Average Current Level
）連動ゲインＧ３、図１０（Ｂ）に示したようなＡＬＬ（Average Luminance Level）連
動ゲインＧ４、および、図１０（Ｃ）に示したような動き量連動ゲインＧ５をメモリに記憶している。図１０（Ａ）に示したＡＣＬ連動ゲインＧ３では、ＡＣＬが大きくなるにつれてゲインが大きくなる。図１０（Ｂ）に示したＡＬＬ連動ゲインＧ４では、ＡＬＬが大きくなるにつれてゲインが大きくなる。図１０（Ｃ）に示した動き量連動ゲインＧ５では、動き量Ｍが少なくなるにつれてゲインが小さくなる。
【手続補正７】
【補正対象書類名】明細書
【補正対象項目名】００４０
【補正方法】変更
【補正の内容】
【００４０】
閾値算出部３３は、例えば、そのメモリに記憶したＡＣＬ連動ゲインＧ３を用いて、閾値ｎｔｈを補正するためのＡＣＬ連動ゲインＧ３の値を導出する。閾値算出部３３は、例えば、画像信号Ｄｏｕｔから平均電流レベルＬ２を導出し、導出した平均電流レベルＬ２に応じたＡＣＬ連動ゲインＧ３の値を導出する。また、閾値算出部３３は、例えば、そのメモリに記憶したＡＬＬ連動ゲインＧ４を用いて、閾値ｎｔｈを補正するためのＡＬＬ連動ゲインＧ４の値を導出する。閾値算出部３３は、例えば、画像信号Ｄｏｕｔから平均輝度レベルＬ１を導出し、導出した平均輝度レベルＬ１に応じたＡＬＬ連動ゲインＧ４の値を導出する。また、閾値算出部３３は、例えば、そのメモリに記憶した動き量連動ゲインＧ５を用いて、閾値ｎｔｈを補正するための動き量連動ゲインＧ５の値を導出する。閾値算出部３３は、例えば、画像信号Ｄｏｕｔから動き量Ｍを導出し、導出した動き量Ｍに応じた動き量連動ゲインＧ５の値を導出する。最大値検出部２４は、例えば、閾値算出部３３で導出されたＡＣＬ連動ゲインＧ３、ＡＬＬ連動ゲインＧ４および動き量連動ゲインＧ５のうち、少なくとも１つのゲインを、閾値ｎｔｈの初期値に乗算することにより、閾値ｎｔｈの値を変更する。